(57)【特許請求の範囲】
【請求項１】
本体部（３）と、該本体部に取り付けられる電子部品供給テープ移送用回転体（５）とを備え、回路基板へ実装される電子部品が離脱可能に取り付けられた電子部品供給テープ（４）を上記電子部品供給テープ移送用回転体によって電子部品取出し位置へ移送して上記電子部品の供給を行う装置であり、上記本体部には上記移送される電子部品供給テープを上記電子部品供給テープ移送用回転体に押さえつける押さえ部材を有する電子部品供給装置であって、
上記押さえ部材は、上記電子部品供給テープの移送方向に従い上記電子部品取出し位置の直後にて電子部品取出し側部材（３０）とテープ排出側部材（４０）とに分離され、上記電子部品取出し側部材及び上記テープ排出側部材は、ともに、上記分離側の端部に相当するそれぞれの一端部（３１，４１）にて上記電子部品供給テープを上記電子部品供給テープ移送用回転体に対して押さえ、それぞれの他端部（３２，４２）にて上記本体部に支持され、上記電子部品取出し側部材における上記一端部には上記電子部品取出し位置に対応して電子部品取出窓（１０）が形成されており、
上記テープ排出側部材には、上記テープ排出側部材に一端が固定され他端が上記電子部品取出し側部材における上記電子部品取出窓近傍に当接して上記電子部品取出窓近傍の振動を抑制する振動抑制部材（４４）を備えたことを特徴とする電子部品供給装置。
【請求項２】
上記振動抑制部材は、板バネである、請求項１記載の電子部品供給装置。
【発明の詳細な説明】
【０００１】
【発明の属する技術分野】
本発明は、回路基板へ実装する電子部品の供給を行う装置であって、上記電子部品を離脱可能に取り付けた電子部品供給テープを移送することで上記電子部品の供給を行う電子部品供給装置に関する。
【０００２】
【従来の技術】
図３には、電子部品供給テープ４を使用して回路基板へ実装する電子部品の供給を行う、従来の電子部品供給装置２０における電子部品の取り出しを行う部分が示されている。尚、電子部品供給テープ４には、図４に示すように、その延在方向に沿って該電子部品供給テープ４上に所定の間隔にて設けられた複数の部品収納用スペース９に電子部品が離脱可能に取り付けられており、又、電子部品供給装置２０に備わるスプロケット５の歯５ａに係合する係合穴１１が電子部品供給テープ４の側縁部分にて上記延在方向に沿って列状に一定間隔にて形成されている。電子部品が取り付けられた電子部品供給テープ４は、電子部品供給装置２０の本体部３に沿ってスプロケット５へ供給され、スプロケット５の歯５ａと上記係合穴１１とが係合することで、スプロケット５の回転に伴い矢印Ｉにて示す方向へ移送される。この移送が円滑に行われるように、移送される電子部品供給テープ４は、部品供給装置２０の本体部３にピン２にて支持されたテープ押さえ１の前端部分１２にて覆われ、かつ特に上記歯５ａと係合穴１１との係合開始から係合終了までの区間においてテープ押さえ１にてスプロケット５へ押さえつけられる。該テープ押さえ１には、不図示の実装装置によって電子部品供給テープ４から電子部品を取り出すための、図４に示すような、取出窓１０が形成されている。尚、取出窓１０は、スプロケット５と電子部品供給テープ４とが係合する部分に対応する場所であって、図３に示す矢印ＩＩの位置に存在する。電子部品が取り外された電子部品供給テープ４は上記実装装置に備わるカッターにて切断されるが、切断の際に電子部品供給テープ４を保持する必要があることから、テープ押さえ１は上記取出窓１０が形成された部分からさらに電子部品供給テープ４の移送方向に沿って、取出窓後端部分１３として延在する。
このような従来の部品供給装置２０に備わるテープ押さえ１にあっては、限られたスペースにおけるユニット構成のため、上記前端部分１２から取出窓後端部分１３までの全長にわたりテープ押さえ１の一端をピン２にて支持している。尚、テープ押さえ１は、電子部品供給テープ４の交換等のため、上記ピン２を中心として矢印ＩＩＩ方向に回動可能である。
【０００３】
【発明が解決しようとする課題】
上述のようにテープ押さえ１は、その一端のみがピン２にて支持されているので、電子部品供給テープ４の移送のために部品供給装置２０の本体部３に発生する振動や、実装装置による電子部品の取り出し、電子部品供給テープ４の切断による振動等の影響を受け易い。従って、取出窓１０部分も振動することから、上記実装装置が電子部品供給テープ４から電子部品を取り外すときに、電子部品供給テープ４の部品収納用スペース９内での電子部品の姿勢を維持するのが困難であり、電子部品の取り出しが正常に行えない場合も生じることがあった。尚、取出窓１０部分の振動を抑えるためには、本体部３又は本体部３以外の箇所から取出窓１０部分を支持することが考えられるが、テープ押さえ部材１は、電子部品供給テープ４の交換時等には、スプロケット５部分以外の場所へ移動させる必要があり、かつ上述したようにスペース的な制約もあることから、取出窓１０部分を単純に支持する構造を採用することができないという問題が背景として存在する。
本発明はこのような問題点を解決するためになされたもので、電子部品供給テープからの電子部品の取り外しが正常に行える部品供給装置を提供することを目的とする。
【０００４】
【課題を解決するための手段】
本発明は、本体部と、該本体部に取り付けられる電子部品供給テープ移送用回転体とを備え、回路基板へ実装される電子部品が離脱可能に取り付けられた電子部品供給テープを上記電子部品供給テープ移送用回転体によって電子部品取出し位置へ移送して上記電子部品の供給を行う装置であり、上記本体部には上記移送される電子部品供給テープを上記電子部品供給テープ移送用回転体に押さえつける押さえ部材を有する電子部品供給装置であって、
上記押さえ部材は、上記電子部品供給テープの移送方向に従い上記電子部品取出し位置の直後にて電子部品取出し側部材とテープ排出側部材とに分離され、上記電子部品取出し側部材及び上記テープ排出側部材は、ともに、上記分離側の端部に相当するそれぞれの一端部にて上記電子部品供給テープを上記電子部品供給テープ移送用回転体に対して押さえ、それぞれの他端部にて上記本体部に支持され、上記電子部品取出し側部材における上記一端部には上記電子部品取出し位置に対応して電子部品取出窓が形成されており、
上記テープ排出側部材には、上記テープ排出側部材に一端が固定され他端が上記電子部品取出し側部材における上記電子部品取出窓近傍に当接して上記電子部品取出窓近傍の振動を抑制する振動抑制部材を備えたことを特徴とする。
【０００５】
【発明の実施の形態】
本発明の一実施形態である電子部品供給装置について図を参照して説明する。尚、図３及び図４に示す構成部分と同じ構成部分については同じ符号を付し、その説明を省略する。
本実施形態における押さえ部材６０は、電子部品供給テープ４の移送方向に従って取出窓１０の直後にて、上述した押さえ部材１を電子部品取出し側部材３０とテープ排出側部材４０とに分離した構造をなすものであり、電子部品取出し側部材３０及び上記テープ排出側部材４０は、ともに、上記分離側の端部に相当するそれぞれの一端部３１，４１にて電子部品供給テープ４をスプロケット５に対して押さえ、それぞれの他端部３２，４２にて本体部３に支持される構造を有する。このように電子部品取出し側部材３０とテープ排出側部材４０とに分離した構造を採用することで、本実施形態の電子部品取出し側部材３０の全長は、従来の押さえ部材１に比べて短くなり、かつ電子部品供給テープ４の切断に伴う振動が電子部品取出し側部材３０に伝わらないので、従来に比べ電子部品取出し側部材３０における、特に一端部３１における振動幅を小さくすることができる。よって、電子部品供給テープ４の電子部品収納スペース９内で電子部品が反転等することなく安定した姿勢で取出窓１０部分まで電子部品の移送を行うことができる。従って、電子部品供給テープ４からの電子部品の取り外しをより正常に行うことができる。
以下に、電子部品取出し側部材３０及びテープ排出側部材４０について説明する。
【０００６】
電子部品取出し側部材３０は、上述した押さえ部材１における前端部分１２にほぼ相当するものであり、上述のように、電子部品取出し側部材３０の一端部３１には取出窓１０が形成され、電子部品供給テープ４の移送方向において取出窓１０の直後にて終端となる。一方、電子部品取出し側部材３０の他端部３２は、ピン２にて本体部３に回動可能に支持される。このような電子部品取出し側部材３０は、一端部３１にて電子部品供給テープ４をスプロケット５側へ押さえつける動作をする。
【０００７】
テープ排出側部材４０は、図２に示すような形状となすものであり、一端部４１にて電子部品供給テープ４をスプロケット５に対して押さえつける平板４３と、該平板４３の表面４３ａに設けられる、振動抑制部材としての一形態に相当する板バネ４４とを有する。
平板４３は、電子部品供給テープ４の延在方向に沿うように、好ましくは図示するような長方形状であり、裏面４３ｂ側を電子部品供給テープ４が移送される。又、電子部品供給テープ４が表面４３ａ側に進入するのを防止し電子部品供給テープ４の移送を円滑に行うため、その一端部４１側には、表面４３ａ側に折り曲げられたガイド部材４８が平板４３の左右の側縁部に設けられている。このような平板４３は、他端部４２が本体部３に支持される。尚、本実施形態においては、平板４３の本体部３への支持と、後述する板バネ４４の平板４３への支持とを、ネジ４７にて行っている。又、電子部品供給テープ４の交換時等においては、ネジ４７を回動中心として、矢印ＩＶ方向へテープ排出側部材４０を回動することができる。
【０００８】
板バネ４４は、図示するような帯状の部材であって平板４３の軸方向に沿って平板４３の一端部４１を超えて延在するものであり、その一端部４５がネジ４７にて平板４３の表面４３ａに固定され、他端部４６は、電子部品供給テープ４の移送方向に従い取出窓１０よりも後ろ側に位置する、電子部品取出し側部材３０の一端部３１の表面３１ａに当接する。よって、板バネ４４は、上記一端部３１を介して電子部品供給テープ４をスプロケット５側へ押圧する作用を行う。かかる押圧により、上記一端部３１の振動幅がさらに抑制され、電子部品供給テープ４からの電子部品の取り外しをより正常に行うことができる。このように板バネ４４は上記一端部３１の振動抑制の作用をも有する。
【０００９】
又、板バネ４４の他端部４６には、図示するように上側に折り曲げてガイド部４６ａを形成している。このようなガイド部４６ａを設けることで、電子部品取出し側部材３０がピン２を回動中心として矢印ＩＩＩ−１側に跳ね上げられた状態から図１に示すセット位置に戻されるとき、電子部品取出し側部材３０の端面部３１ｂがガイド部４６ａに接触しながら電子部品取出し側部材３０が上記セット位置まで回動することができる。従って、テープ排出側部材４０を矢印ＩＶのＩＶ−１側へ移動させることなく電子部品取出し側部材３０を上記セット位置へ戻すことができる。
【００１０】
尚、このような振動抑制部材は、上記板バネ４４の形態に限られるものではなく、テープ排出側部材４０から延在して電子部品取出し側部材３０の一端部３１の表面３１ａに当接し、かつ弾性的に上記一端部３１をスプロケット５側に押圧する部材であればよい。又、このような弾性的に押圧可能な部材を採用することで、該部材を介して電子部品取出し側部材３０と、テープ排出側部材４０とは間接的に連結されるが、テープ排出側部材４０側に発生した振動は上記弾性的に押圧可能な部材にて吸収可能であり、上記振動が電子部品取出し側部材３０へ伝達されるのを防止することができる。
【００１１】
電子部品取出し側部材３０とテープ排出側部材４０とに分離された押さえ部材を備えた電子部品供給装置５０は、従来の電子部品供給装置３０と同様に、スプロケット５にて電子部品供給テープ４が移送される。このとき、電子部品取出し側部材３０の一端部３１によって電子部品供給テープ４はスプロケット５側に押さえつけられ、電子部品取出し側部材３０を超えて延在する電子部品供給テープ４はテープ排出側部材４０の一端部４１にてスプロケット５側に押さえつけが行われる。その他の動作は従来の電子部品供給装置３０に同一である。
【００１２】
尚、本実施形態では、電子部品供給テープ４を移送させる手段として、最も好ましい形態であるスプロケット５を使用しているが、これに限られるものではなく、歯５ａを備えない例えばローラのような電子部品供給テープ移送用回転体を使用することができる。
【００１３】
【発明の効果】
以上詳述したように本発明によれば、電子部品供給テープの押さえ部材を、電子部品供給テープの移送方向に従って電子部品取出窓の後ろ側にて、電子部品取出し側部材とテープ排出側部材とに分離したことにより、上記押さえ部材に生じる振動を軽減することができる。よって、電子部品供給テープの振動が軽減され、電子部品供給テープにおける電子部品の収納スペース内に取り付けられている電子部品を安定した姿勢で移送することができる。従って、上記電子部品取出窓において、電子部品供給テープからの電子部品の取り外しを正常に行うことができ、電子部品の供給率を向上させることができる。
【図面の簡単な説明】
【図１】本発明の一実施形態の電子部品供給装置を示す側面図である。
【図２】図１に示す電子部品供給装置に備わるテープ排出側部材を示す斜視図である。
【図３】従来の電子部品供給装置を示す側面図である。
【図４】電子部品供給テープ及び電子部品取出窓部分を示す斜視図である。
【符号の説明】
３…本体部、４…電子部品供給テープ、５…スプロケット、
１０…電子部品取出窓、
３０…電子部品取出し側部材、３１…一端部、３２…他端部、
４０…テープ排出側部材、４１…一端部、４２…他端部、４３…平板、
４４…板バネ。
【図１】
0003621193.tif 000002
【図２】
0003621193.tif 000003
【図３】
0003621193.tif 000004
【図４】
0003621193.tif 000005